(57)【要約】【課題】筐体全体を金属材料から構成して高い外観品質を確保し、筐体内にアンテナを収納配置しても標準電波の受信感度を良好にする電波修正時計を提供すること。【解決手段】電波修正時計の時計本体を収納する筐体は、側壁部分となる環状の胴部材と、胴部材の裏面側の開口を塞ぐ蓋部材１１３とを備え、筐体内における蓋部材１１３の近傍には、アンテナ１５を収納する収納空間が形成される。そして、蓋部材１１３には、アンテナ１５に対応する位置に該蓋部材１１３の他の部分に比べて薄肉とされた薄肉部１１３Ａが形成されている。【選択図】図３
2004347552.tif 000002
【特許請求の範囲】
【請求項１】
金属製の筐体と、この筐体に収納配置され、棒状のコア、およびこのコアの外周に巻回されたコイルを有するアンテナとを備え、前記アンテナにて時刻に関する時刻情報を受信して表示時刻を修正する電波修正時計であって、
前記筐体は、側壁部分となる環状の胴部材と、前記胴部材の裏面側の開口を塞ぐ蓋部材とを備え、該筐体内における前記蓋部材の近傍には、前記アンテナを収納する収納空間が形成され、
前記蓋部材には、前記アンテナに対応する位置に該蓋部材の他の部分に比べて薄肉とされた薄肉部が形成されていることを特徴とする電波修正時計。
【請求項２】
請求項１に記載の電波修正時計において、
前記筐体に接続される金属製の装着用バンドを備え、
前記アンテナは、前記コアの両端部が前記装着用バンドと平面的に干渉しないように前記収納空間に配置されることを特徴とする電波修正時計。
【請求項３】
請求項１または請求項２に記載の電波修正時計において、
前記胴部材の内部に配置され、前記時刻を表示するための１２時間式の文字板を備え、
前記アンテナは、前記収納空間における前記文字板の３時位置または９時位置に対応する位置に配置されることを特徴とする電波修正時計。
【請求項４】
請求項３に記載の電波修正時計において、
前記アンテナは、前記コアの軸方向が前記文字板の１２時位置と６時位置とを結ぶ方向に平行となるように前記収納空間に配置されることを特徴とする電波修正時計。
【請求項５】
請求項１から請求項４のいずれかに記載の電波修正時計において、
前記蓋部材には、前記コアの軸方向に沿って前記アンテナの一部が配置可能とされる溝部が形成されていることを特徴とする電波修正時計。
【請求項６】
請求項５に記載の電波修正時計において、
前記胴部材および前記蓋部材は、前記蓋部材が前記胴部材に対して回転することで相互に螺合する螺合構造を有し、
前記溝部は、前記蓋部材の回転中心を中心としたリング状に形成され、
前記アンテナは、前記蓋部材の回転中心を中心とし、前記溝部の形状に対応する円弧状の形状を有していることを特徴とする電波修正時計。
【請求項７】
請求項１から請求項６のいずれかに記載の電波修正時計において、
前記コアの両端部は、前記薄肉部に向けて曲折していることを特徴とする電波修正時計。
【請求項８】
請求項１から請求項７のいずれかに記載の電波修正時計において、
前記胴部材には、前記コアの両端部に対向する位置に凹部が形成されていることを特徴とする電波修正時計。
【請求項９】
請求項１から請求項８のいずれかに記載の電波修正時計において、
前記薄肉部、前記溝部、および前記凹部のうちの少なくともいずれかには、非金属材料からなる補強部材が固定されていることを特徴とする電波修正時計。
【発明の詳細な説明】
【０００１】
【発明の属する技術分野】
本発明は、金属製の筐体と、この筐体に収納配置され、棒状のコア、およびこのコアの外周に巻回されたコイルを有するアンテナとを備え、前記アンテナにて時刻に関する時刻情報を受信して表示時刻を修正する電波修正時計に関する。
【０００２】
【背景技術】
従来、日本標準時を高精度で伝える長波の標準電波（ＪＩＹ）で送信される時刻情報を受信するアンテナを備え、このアンテナにて受信した標準電波に基づいて表示時刻を修正する電波修正時計が知られている。
このような電波修正時計では、アンテナに対する標準電波の電磁波遮蔽の影響を低減して標準電波の受信感度を高めるために、以下のような構成の電波修正時計が提案されている。
例えば、プラスチックまたはセラミックなどの非金属材料からなる筐体内に、アンテナを内蔵する電波修正時計（以下、第１筐体内蔵型電波修正時計と記載する）が知られている。
この第１筐体内蔵型電波修正時計では、外部からの標準電波が筐体によって遮蔽されることなく、筐体内部のアンテナにて標準電波を受信可能となる。
【０００３】
また、例えば、筐体の一部をプラスチックまたはセラミック等の非金属材料から構成される電波修正時計（以下、第２筐体内蔵型電波修正時計と記載する）が知られている（例えば、特許文献１参照）。
この第２筐体内蔵型電波修正時計では、筐体は、側面部分を金属製の胴部材で構成し、この胴部材の底部分を非金属製の蓋部材にて閉塞している。そして、外部からの標準電波は、筐体の裏面部分に位置する蓋部材を透過してアンテナにて受信される。
【０００４】
さらに、例えば、筐体を金属材料から構成し、アンテナが筐体外部である装着用バンド内に内蔵された電波修正時計（以下、バンド内蔵型電波修正時計と記載する）が知られている（例えば、特許文献２参照）。
この電波修正時計では、筐体全体を金属材料から構成しても、装着用バンド内部のアンテナにて標準電波を受信可能となる。
【０００５】
【特許文献１】
特開２００１−３３５７１号公報
【０００６】
【特許文献２】
欧州特許第０４３９７２４号明細書
【０００７】
【発明が解決しようとする課題】
しかしながら、上述した第１筐体内蔵型電波修正時計では、筐体全体がプラスチックまたはセラミック等の非金属材料から構成されているので、筐体全体が金属材料から構成された電波修正時計と比較した場合に、外観品質に欠ける。
また、上述した第２筐体内蔵型電波修正時計では、筐体の一部である蓋部材のみが非金属材料から構成されているので、第１筐体内蔵型電波修正時計と比較すれば、外観品質を向上できる。しかしながら、筐体全体が金属材料から構成された電波修正時計と比較した場合には、ユーザに対して外観品質を満足させることができない。
さらに、上述したバンド内蔵型電波修正時計では、筐体全体が金属材料から構成されているので、時計本体に関しては、ユーザに対して外観品質を満足させることができる。しかしながら、アンテナを内蔵した装着用バンドは、重く厚くなり、自由に湾曲させることもできないため、装着性に劣る。また、ユーザによりバンド内蔵型電波修正時計が使用された結果、装着用バンドが磨耗してアンテナ自体に影響を及ぼし、アンテナの受信感度が減少するおそれがある。
【０００８】
本発明の目的は、筐体全体を金属材料から構成して高い外観品質を確保し、筐体内にアンテナを収納配置しても標準電波の受信感度を良好にできる電波修正時計を提供することにある。
【０００９】
【課題を解決するための手段】
本発明の電波修正時計は、金属製の筐体と、この筐体に収納配置され、棒状のコア、およびこのコアの外周に巻回されたコイルを有するアンテナとを備え、前記アンテナにて時刻に関する時刻情報を受信して表示時刻を修正する電波修正時計であって、前記筐体は、側壁部分となる環状の胴部材と、前記胴部材の裏面側の開口を塞ぐ蓋部材とを備え、該筐体内における前記蓋部材の近傍には、前記アンテナを収納する収納空間が形成され、前記蓋部材には、前記アンテナに対応する位置に該蓋部材の他の部分に比べて薄肉とされた薄肉部が形成されていることを特徴とする。
ここで、アンテナに対応する位置とは、アンテナに近接する位置であり、アンテナと平面的に重なる位置に限らない。例えば、アンテナの幅方向、長手方向に沿って延び、アンテナから平面的にはみ出す位置、アンテナと平面的に重ならない位置も含むものとする。
また、薄肉部は、アンテナの長手方向に連続していなくてもよく、例えば、アンテナの特定位置であるコアの両端部に対応する位置にのみ形成されていてもよい。
【００１０】
一般的に、金属材料は、時刻情報である電磁波を吸収して電磁波の進入を遮蔽することが知られているが、電磁波の遮蔽の程度は、金属材料の厚み、および、該金属材料と電磁波が送信される対象物との位置関係によって異なる。例えば、金属材料の厚みを小さくするほど、金属材料による電磁波の遮蔽の程度が小さい。
【００１１】
本発明では、筐体は金属材料から構成され、該筐体の蓋部材の近傍に形成される収納空間にアンテナが配置される。そして、蓋部材には、アンテナに対応する位置に薄肉部が形成されている。このことにより、外部からの時刻情報である標準電波は、蓋部材の薄肉部を介してアンテナにて良好に受信される。したがって、金属材料から構成される筐体内にアンテナを収納配置しても標準電波の受信感度を良好にできる。また、筐体全体を金属材料から構成するので、ユーザに対して外観品質を十分に満足させることができる。
【００１２】
本発明の電波修正時計では、前記筐体に接続される金属製の装着用バンドを備え、前記アンテナは、前記コアの両端部が前記装着用バンドと平面的に干渉しないように前記収納空間に配置されることが好ましい。
ここで、コアの両端部が装着用バンドと平面的に干渉しない位置とは、コアの両端部が平面的に視て装着用バンドからその幅方向に突出している位置である。
本発明によれば、装着用バンドを金属製で構成しても、標準電波の磁束が通過するコアの両端部と装着用バンドとが平面的に干渉しないので、コアの両端部にて標準電波を捉えることができ、アンテナの受信感度を良好に確保できる。また、筐体全体および装着用バンドを金属製で構成できるので、電波修正時計の外観品質をさらに向上できる。
【００１３】
本発明の電波修正時計では、前記胴部材の内部に配置され、前記時刻を表示するための１２時間式の文字板を備え、前記アンテナは、前記収納空間における前記文字板の３時位置または９時位置に対応する位置に配置されることが好ましい。
ところで、通常、装着用バンドは、平面的に文字板の１２時位置から６時位置にかけて筐体に接続される。そして、文字板の３時位置または９時位置は、収納空間において、平面的に視て装着用バンドからその幅方向に広がる空間である。
本発明では、アンテナは、収納空間における文字板の３時位置または９時位置に対応する位置に配置される。このことにより、アンテナ全体を装着用バンドと平面的に干渉しない位置に配置可能となり、アンテナの受信感度をさらに良好に確保できる。
【００１４】
本発明の電波修正時計では、前記アンテナは、前記コアの軸方向が前記文字板の１２時位置と６時位置とを結ぶ方向に平行となるように前記収納空間に配置されることが好ましい。
本発明によれば、アンテナ全体が装着用バンドと平面的に干渉しない位置でかつ、アンテナの軸方向を長く設定できる。したがって、コアに対するコイルの巻き数を多く設定でき、アンテナによる受信感度を向上させることができる。
【００１５】
本発明の電波修正時計では、前記蓋部材には、前記コアの軸方向に沿って前記アンテナの一部が配置可能とされる溝部が形成されていることが好ましい。
ここで、溝部により形成される薄肉部の厚み寸法は、コアの軸方向に沿って同一に設定してもよく、アンテナの特定位置であるコアの両端部に対応する位置の厚み寸法が他の厚み寸法よりも小さくなるように設定してもよい。
本発明では、蓋部材には、溝部が形成されているので、胴部材に蓋部材を接続した際には、溝部にアンテナの一部が配置する。このことにより、蓋部材と、収納空間に配置されるアンテナとの機械的干渉を回避し、電波修正時計の薄型化を図れる。
【００１６】
本発明の電波修正時計では、前記胴部材および前記蓋部材は、前記蓋部材が前記胴部材に対して回転することで相互に螺合する螺合構造を有し、前記溝部は、前記蓋部材の回転中心を中心としたリング状に形成され、前記アンテナは、前記蓋部材の回転中心を中心とし、前記溝部の形状に対応する円弧状の形状を有していることが好ましい。
本発明では、胴部材および蓋部材は、螺合構造を有し、この螺合構造により胴部材および蓋部材は、相互に固定される。そして、溝部は、蓋部材の回転中心を中心としたリング状に形成され、アンテナは、蓋部材の回転中心を中心とし、溝部の形状に対応する円弧状の形状を有する。このことにより、蓋部材を胴部材に対して回転させる際に蓋部材とアンテナとの機械的干渉を回避しつつ、蓋部材を胴部材に接続できる。
【００１７】
本発明の電波修正時計では、前記コアの両端部は、前記薄肉部に向けて曲折していることが好ましい。
本発明によれば、コアの両端部は、薄肉部に向けて曲折しているので、コアの端部が標準電波を通過する薄肉部に対向する構成となり、アンテナによる標準電波の受信感度を向上させることができる。
【００１８】
本発明の電波修正時計では、前記胴部材には、前記コアの両端部に対向する位置に凹部が形成されていることが好ましい。
本発明では、蓋部材の他、胴部材にも、コアの両端部に対向する位置に凹部が形成されているので、胴部材に、他の厚み寸法よりも薄肉とされた薄肉部が形成される。このことにより、胴部材に形成される薄肉部を介してアンテナにて標準電波を受信でき、アンテナによる受信感度をさらに良好にできる。
【００１９】
本発明の電波修正時計では、前記薄肉部、前記溝部、および前記凹部のうちの少なくともいずれかには、非金属材料からなる補強部材が固定されていることが好ましい。
ここで、補強部材としては、非金属材料から構成されればよく、プラスチックやセラミックス等の固体状の部材、または、非導電性の接着剤等の液状の部材を採用してもよい。
また、この補強部材の配置位置としては、薄肉部、溝部、および凹部において、補強可能に配置されればよく、特に限定されない。例えば、上述した固定状の部材を、薄肉部、溝部、または凹部における断面略凹状の内側部分に嵌め込んで接着固定する。また、例えば、上述した液状の部材を、薄肉部、溝部、または凹部における断面略凹状の内側部分に流し込んで固める。
【００２０】
本発明によれば、薄肉部、溝部、および凹部のうちの少なくともいずれかに非金属材料からなる補強部材が固定されているので、アンテナにおける標準電波の受信感度を良好に維持しつつ、筐体の機械的強度を増加させることができる。また、筐体の機械的強度を増加させることができるので、補強部材を設けない構成に比較して、薄肉部、溝部、および凹部のうちの少なくともいずれかをさらに薄く形成でき、アンテナにおける標準電波の受信感度をさらに良好にできる。
また、補強部材を、薄肉部、溝部、および凹部のうちの少なくともいずれかの断面略凹状の内側部分に設ける場合には、収納空間に配置されるアンテナと筐体とを電気的に絶縁することができる。
【００２１】
【発明の実施の形態】
〔第１実施形態〕
以下、本発明の第１実施形態を図面を参照して説明する。
図１は、第１実施形態に係る電波修正時計１の概略構成を示す平面図である。
図２は、図１におけるＩＩ−ＩＩ線の断面図である。
電波修正時計１は、外部から標準電波を受信して、この受信した標準電波に基づいて表示時刻を修正する。本実施形態では、この電波修正時計１は、図１または図２に示すように、携帯型であり、ユーザの腕に装着可能とする腕時計タイプの電波修正時計として構成されている。この電波修正時計１は、図１または図２に示すように、筐体１１と、ガラス部材１２と、指針１３と、ムーブメント１４（図２）と、アンテナ１５（図２）と、ここでは図示しない装着用バンド１６とを備える。
【００２２】
筐体１１は、金属製材料から構成され、指針１３、ムーブメント１４、およびアンテナ１５を収納配置する。この筐体１１は、図２に示すように、胴部材１１１と、文字板１１２と、蓋部材１１３とを備える。
胴部材１１１は、筐体１１の側面部分を構成する。この胴部材１１１としては、例えば、ステンレススチール、チタン、アルミニウム、黄銅（真鍮）、金、またはプラチナ等で構成できる。この胴部材１１１は、図２に示すように、胴部材本体１１１Ａと、ガラス縁１１１Ｂとを備える。
胴部材本体１１１Ａは、上面と下面とに開口部を有する筒状に構成され、下面の開口部分内側面には、該内側面の内側に窪み、蓋部材１１３と係合するための係合部１１１Ａ１が形成されている。
ガラス縁１１１Ｂは、環状の形状を有し、胴部材本体１１１Ａの上面の開口部分に嵌合固定され、上面にてガラス部材１２を載置固定する。
【００２３】
文字板１１２は、胴部材本体１１１Ａの内部に位置し、該胴部材本体１１１Ａの厚み方向中間部分に一体的に形成される。この文字板１１２は、表面側には、図１に示すように、指針１３の表示位置を示す１２時間目盛りが設けられている。この文字板１１２としては、例えば、黄銅（真鍮）、ステンレススチール、洋白、または非金属材料（セラミックス、貝、ガラス、プラスチック等）等で構成できる。なお、文字板１１２は、胴部材本体１１１Ａの内部に一体的に形成される構成の他、ムーブメント１４に保持される構成を採用してもよい。
蓋部材１１３は、胴部材本体１１１Ａの下面の開口部分を塞ぐ。この蓋部材１１３としては、上述した胴部材１１１と同様に、例えば、ステンレススチール、チタン、アルミニウム、黄銅（真鍮）、金、またはプラチナ等で構成できる。この蓋部材１１３には、アンテナ１５の後述するコア１５１の両端部に対向する位置にここでは図示しない薄肉部１１３Ａと、胴部材１１１側に突出し、胴部材本体１１１Ａの係合部１１１Ａ１と係合するフック１１３Ｂと、当該蓋部材１１３と胴部材本体１１１Ａとの接合部を水密状態に密閉するパッキン１１３Ｃとが形成されている。そして、蓋部材１１３を胴部材本体１１１Ａに接続する際には、蓋部材１１３を胴部材本体１１１Ａに対して押圧し、蓋部材１１３のフック１１３Ｂを胴部材本体１１１Ａの係合部１１１Ａ１に係合させる。このように蓋部材１１３が胴部材本体１１１Ａに接続すると、文字板１１２と蓋部材１１３との間に収納空間１１４が形成される。
なお、薄肉部１１３Ａの詳細については、アンテナ１５の構成を説明する際に同時に説明する。
【００２４】
ガラス部材１２は、胴部材１１１のガラス縁１１１Ｂの上面に載置固定され、胴部材１１１の上面の開口部分を閉塞する。そして、ガラス部材１２が胴部材１１１に接続すると、ガラス部材１２と文字板１１２との間に指針１３の収納空間が形成される。このガラス部材１２としては、例えば、無機ガラス（サファイア、酸化珪素等）、または有機ガラス（プラスチック等）で構成できる。
指針１３は、ガラス部材１２と文字板１１２との間の収納空間に配置され、ユーザに時刻を表示する。この指針１３は、図１または図２に示すように、文字板１１２に回転可能に軸支された、時針１３１と、分針１３２と、秒針１３３とで構成される。
【００２５】
ムーブメント１４は、図２に示すように、文字板１１２の裏面側に設置され、指針１３の時針１３１、分針１３２、および秒針１３３を駆動するとともに、アンテナ１５による標準電波の受信動作を制御する。このムーブメント１４は、図示は省略するが、電池とモータとを含んで構成され、指針１３を駆動制御する。なお、電池に限らず、光エネルギを電気エネルギに変換して発電するソーラーセルと、このソーラーセルにて発電された電気エネルギを蓄電する二次電池を含んだ構成も採用できる。
【００２６】
図３は、アンテナ１５の形状、および、アンテナ１５と蓋部材１１３との配置状態を示す図である。
図４は、アンテナ１５と装着用バンド１６との配置状態を示す図である。
アンテナ１５は、外部からの標準電波を受信する。このアンテナ１５は、文字板１１２の裏面側であり、該文字板１１２の９時位置１１２Ａ（図１）に対応する位置に設置される。この際、アンテナ１５は、収納空間１１４において、蓋部材１１３と電気的に絶縁するように配置される。このアンテナ１５は、図２ないし図４に示すように、コア１５１と、コイル１５２とを備える。
コア１５１は、高透磁率を有するフェライト棒から構成され、図２に示すように、軸方向が文字板１１２の１２時位置１１２Ｂ（図１）と６時位置１１２Ｃ（図１）とを結ぶ方向に向く断面略四角柱状に形成されている。
【００２７】
ここで、蓋部材１１３には、図３に示すように、コア１５１の端部に対応して四角柱状の窪みが形成され、その底面部分が薄肉部１１３Ａとなる。蓋部材１１３において、薄肉部１１３Ａ以外の厚み寸法は、０．５ｍｍ〜０．８ｍｍ程度で形成され、薄肉部１１３Ａの厚み寸法は、０．２５ｍｍ程度で形成されている。この薄肉部１１３Ａの厚み寸法は、他の厚み寸法の１／２以下が好ましく、より好ましくは他の厚み寸法の１／３以下である。但し、薄肉部１１３Ａの厚み寸法の下限は、蓋部材１１３の強度と外観が確保できる厚みを限度とし、具体的には他の厚み寸法の約１／２０〜１／３０とする。
そして、コア１５１の両端部は、下方に曲折する形状を有し、蓋部材１１３の薄肉部１１３Ａに対向配置されている。
コイル１５２は、導電性部材から構成され、コア１５１の外周に巻回される。そして、コア１５１に標準電波が通過すると、その周囲のコイル１５２に誘起電流が発生するようになっている。
【００２８】
装着用バンド１６は、金属製材料から構成され、筐体１１の上下方向端部（図１中上下方向端部）と接続し、図４の２点鎖線で示すように、複数の部材が連結してユーザの腕に装着可能に構成されている。この装着用バンド１６としては、例えば、筐体１１と同様に、ステンレススチール、アルミニウム、またはチタン等で構成できる。
ここで、アンテナ１５は、上述したように、コア１５１の軸方向が文字板１１２の１２時位置１１２Ｂ（図１）と６時位置１１２Ｃ（図１）とを結ぶ方向に向くように、文字板１１２の裏面側における該文字板１１２の９時位置１１２Ａ（図１）に対応する位置に設置される。すなわち、アンテナ１５は、図４に示すように、収納空間１１４において、平面的に視て装着用バンド１６からその幅方向に広がる空間に配置され、装着用バンド１６と平面的に干渉しないように設置されている。
【００２９】
〔第１実施形態の効果〕
上述した第１実施形態によれば、以下の効果を奏する。
（１）筐体１１は、金属製材料から構成され、該筐体１１の文字板１１２と蓋部材１１３との間に形成される収納空間１１４にアンテナ１５が配置される。そして、蓋部材１１３には、アンテナ１５のコア１５１の両端部に対向する位置に、他の厚み寸法よりも薄い薄肉部１１３Ａが形成されている。このことにより、アンテナ１５は、蓋部材１１３の薄肉部１１３Ａを介して外部からの標準電波を良好に受信できる。したがって、金属材料から構成される筐体１１内にアンテナ１５を収納配置しても標準電波の受信感度を良好にできる。また、筐体１１全体を金属材料から構成するので、ユーザに対して外観品質を十分に満足させることができる。
【００３０】
（２）装着用バンド１６は、金属材料から構成される。そして、アンテナ１５は、文字板１１２の裏面側における該文字板１１２の９時位置１１２Ａに対応する位置であって、アンテナ１５全体が装着用バンド１６と平面的に干渉しない位置に配置される。このことにより、装着用バンド１６にて標準電波が遮蔽されることなく、アンテナ１５の受信感度を良好に確保できる。また、筐体１１全体および装着用バンド１６を金属製で構成しているので、電波修正時計１の外観品質をさらに向上できる。
【００３１】
（３）また、アンテナ１５は、コア１５１の軸方向が文字板１１２の１２時位置１１２Ｂと６時位置１１２Ｃとを結ぶ方向に向くように設置されるので、装着用バンド１６と平面的に干渉しない位置でかつ、アンテナ１５の軸方向を長く設定できる。したがって、コア１５１に対するコイル１５２の巻き数を多く設定でき、アンテナ１５による受信感度を向上させることができる。
（４）アンテナ１５におけるコア１５１の両端部は、下方に曲折する形状を有し、蓋部材１１３の薄肉部１１３Ａに対向配置されているので、薄肉部１１３Ａを通過する標準電波をアンテナ１５にて良好に捉えることができ、アンテナ１５による標準電波の受信感度を向上させることができる。
【００３２】
〔第２実施形態〕
次に、本発明の第２実施形態を図面を参照して説明する。
以下の説明では、前記第１実施形態と同様の構造および同一部材には同一符号を付して、その詳細な説明は省略または簡略化する。
前記第１実施形態では、蓋部材１１３において、他の厚み寸法よりも薄い薄肉部１１３Ａが文字板１１２の裏面側に設置されるアンテナ１５のコア１５１の両端部に対向する位置に形成されている。
これに対して第２実施形態では、蓋部材２１３には、上述した薄肉部１１３Ａが形成されているとともに、これら薄肉部１１３Ａの間に、アンテナ１５に沿って溝部２１３Ａが形成されている。その他の構成は、第１実施形態と同様である。
【００３３】
具体的に、図５ないし図７は、第２実施形態における電波修正時計２の構造を説明するための図である。
溝部２１３Ａは、図５ないし図７に示すように、２つの薄肉部１１３Ａを結び、アンテナ１５に沿って蓋部材２１３に形成されたものであり、この溝部２１３Ａにより薄肉部２１３Ｂが形成される。そして、蓋部材２１３が胴部材１１１に接続した際には、図６に示すように、溝部２１３Ａにアンテナ１５の一部（下方側端部）が遊嵌配置される。
蓋部材２１３において、薄肉部２１３Ｂの厚み寸法は、図６に示すように、薄肉部１１３Ａよりも厚く、他の部分の厚み寸法よりも薄くなるように形成されている。
【００３４】
〔第２実施形態の効果〕
上述した第２実施形態によれば、前記（１）〜（４）と同様の効果の他、以下の効果を奏する。
（５）蓋部材２１３には、溝部２１３Ａが形成されているので、胴部材１１１に蓋部材２１３を接続した際には、溝部２１３Ａにアンテナ１５の下方側端部が遊嵌配置する。このことにより、蓋部材２１３と、文字板１１２の裏面側に設置されるアンテナ１５との機械的干渉を回避し、電波修正時計２の薄型化を図れる。
【００３５】
〔第３実施形態〕
次に、本発明の第３実施形態を図面を参照して説明する。
以下の説明では、前記第２実施形態と同様の構造および同一部材には同一符号を付して、その詳細な説明は省略または簡略化する。
図８および図９は、第３実施形態における電波修正時計３の構造を説明するための図である。
前記第２実施形態では、蓋部材２１３には、薄肉部１１３Ａの間に、アンテナ１５に沿って溝部２１３Ａが形成されている。そして、薄肉部２１３Ｂの厚み寸法は、薄肉部１１３Ａよりも厚く、他の部分の厚み寸法よりも薄くなるように形成されている。
これに対して第３実施形態では、図８および図９に示すように、蓋部材３１３には、アンテナ３５の長手方向に沿って延び、該アンテナ３５を遊嵌配置可能とする溝部３１３Ａが形成され、この溝部３１３Ａにより薄肉部３１３Ｂが形成されている。
この薄肉部３１３Ｂは、図８に示すように、厚み寸法がアンテナ３５の長手方向に沿って略同一に形成されている。すなわち、この薄肉部３１３Ｂは、第２実施形態における薄肉部１１３Ａと薄肉部２１３Ｂの厚み寸法が同一となるように構成されたものと略同様である。
また、本実施形態におけるアンテナ３５のコア３５１の両端部は、図８に示すように、下方に曲折することなく、略直線的に形成されている。
なお、その他の構成は、第２実施形態と同様であり、説明を省略する。
【００３６】
〔第３実施形態の効果〕
上述した第３実施形態によれば、前記（１）〜（５）と同様の効果の他、以下の効果を奏する。
（６）溝部３１３Ａにより形成される薄肉部３１３Ｂは、厚み寸法がアンテナ３５の長手方向に沿って略同一に形成されているので、溝部３１３Ａの加工を容易に実施でき、電波修正時計３の製造を容易に実施できる。
【００３７】
〔第４実施形態〕
次に、本発明の第４実施形態を図面を参照して説明する。
以下の説明では、前記第１実施形態と同様の構造および同一部材には同一符号を付して、その詳細な説明は省略または簡略化する。
前記第１実施形態では、アンテナ１５は、文字板１１２の１２時位置１１２Ｂと６時位置１１２Ｃとを結ぶ略直線状に形成されている。また、蓋部材１１３と胴部材１１１との接続は、蓋部材１１３を胴部材１１１に対して押圧し、フック１１３Ｂと係合部１１１Ａ１とが係合することにより実施される。
これに対して第３実施形態では、アンテナ４５は、円弧状に形成されている。また、蓋部材４１３と胴部材４１１との接続は、胴部材４１１に対して蓋部材４１３が回転することで相互に螺合するスクリュ式の接合構造となっている。
【００３８】
具体的に、図１０または図１１は、第４実施形態における電波修正時計４の構造を説明するための図である。
【００３９】
胴部材４１１は、図１０に示すように、第１実施形態で説明したガラス縁１１１Ｂと、胴部材本体４１１Ａとを備える。
胴部材本体４１１Ａは、第１実施形態で説明した胴部材本体１１１Ａと同様に、上面と下面とに開口部を有する筒状に構成され、下面の開口部分内側面には、蓋部材４１３と螺合するための螺合構造としての雌ねじ溝４１１Ａ１が形成されている。
蓋部材４１３は、第１実施形態で説明した蓋部材１１３と同様に、胴部材本体４１１Ａの下面の開口部分を塞ぐ。
この蓋部材４１３には、該蓋部材の回転中心を中心としたリング状の形状を有する溝部４１３Ａが形成され、この溝部４１３Ａにより薄肉部４１３Ｂが形成される。そして、この溝部４１３Ａにアンテナ４５の一部（下方側端部）が遊嵌配置される。
また、この蓋部材４１３には、胴部材４１１側に突出し、胴部材本体４１１Ａの雌ねじ溝４１１Ａ１と螺合する螺合構造としての雄ねじ４１３Ｃと、該蓋部材４１３と胴部材本体４１１Ａとの接合部を水密状態に密閉するパッキン４１３Ｄとが形成されている。
ここで、蓋部材４１３において、薄肉部４１３Ｂ以外の厚み寸法は、０．５ｍｍ〜０．８ｍｍ程度で形成され、薄肉部４１３Ｂの厚み寸法は、０，２５ｍｍ程度で形成されている。この薄肉部４１３Ｂの厚み寸法は、他の厚み寸法の１／２以下が好ましく、より好ましくは他の厚み寸法の１／３以下である。但し、薄肉部４１３Ｂの厚み寸法の下限は、蓋部材４１３の強度と外観が確保できる厚みを限度とし、具体的には他の厚み寸法の約１／２０〜１／３０とする。
【００４０】
アンテナ４５は、文字板１１２の裏面側に形成される収納空間１１４において、該文字板１１２の９時位置１１２Ａ（図１）に設置され、コア４５１と、コイル４５２とを備える。このアンテナ４５は、収納空間１１４において、蓋部材４１３と絶縁するように配置される。これらコア４５１およびコイル４５２は、第１実施形態で説明したコア１５１およびコイル１５２の形状を変更したものであり、第１実施形態と同様の部材にて構成できる。
すなわち、コア４５１は、図１１に示すように、蓋部材４１３の回転中心を中心とし、溝部４１３Ａの形状に対応する円弧状に形成され、コイル４５２は、このコア４５１の外周に巻回されている。
また、コア４５１の両端部は、第１実施形態と同様に、下方に曲折する形状を有し（図１１）、蓋部材４１３の溝部４１３Ａに対向配置されている。
さらに、アンテナ４５は、上述したように、円弧状の形状を有し、文字板１１２の裏面側における該文字板１１２の９時位置１１２Ａ（図１）に対応する位置に設置されるとともに、第１実施形態と同様に、装着用バンド１６と平面的に干渉しないように設置されている（図１１）。
【００４１】
ここで、蓋部材４１３を胴部材本体４１１Ａに接続する際には、文字板１１２の裏面側に設置されたアンテナ４５の下方端部が蓋部材４１３の溝部４１３Ａに遊嵌配置するように配置し、胴部材本体４１１Ａに対して蓋部材４１３を回転させる。そして、胴部材本体４１１Ａの雌ねじ溝４１１Ａ１に蓋部材４１３の雄ねじ４１３Ｃが螺合することで、蓋部材４１３が胴部材本体４１１Ａに固定される。
【００４２】
〔第４実施形態の効果〕
上述した第３実施形態によれば、前記（１）〜（６）と同様の効果の他、以下の効果を奏する。
（７）溝部４１３Ａは、蓋部材４１３の回転中心を中心とするリング状の形状を有する。また、アンテナ４５は、文字板１１２の裏面側であり、該文字板１１２の９時位置１１２Ａに設置され、蓋部材４１３の回転中心を中心とし、溝部４１３Ａの形状に対応する円弧状の形状を有する。このことにより、胴部材４１１に対して蓋部材４１３を回転させて螺合させるスクリュ式の接合構造としても、胴部材４１１に対する蓋部材４１３の接続時に、蓋部材４１３とアンテナ４５との機械的干渉を回避できる。
（８）アンテナ４５を円弧状に形成するので、アンテナ４５全体を長く設定でき、コア４５１に対するコイル４５２の巻き数を多く設定できる。したがって、アンテナ４５の受信感度を向上させることができる。
【００４３】
〔第５実施形態〕
次に、本発明の第５実施形態を図面を参照して説明する。
以下の説明では、前記第３実施形態と同様の構造および同一部材には同一符号を付して、その詳細な説明は省略または簡略化する。
前記第１実施形態ないし前記第４実施形態では、蓋部材１１３，２１３，３１３，４１３には、薄肉部１１３Ａ、および／または、溝部２１３Ａ，３１３Ａ，４１３Ａが形成されている。
第５実施形態では、これら薄肉部１１３Ａ、および／または、溝部２１３Ａ，３１３Ａ，４１３Ａに、これら各部位を補強する補強部材５００が固定されている。
【００４４】
具体的に、図１２は、補強部材５００の固定位置の一例を示す図である。なお、図１２は、第３実施形態における蓋部材３１３の溝部３１３Ａに補強部材５００を固定した図であり、第１実施形態の薄肉部１１３Ａ、第２実施形態の薄肉部１１３Ａおよび／または溝部２１３Ａ、および第４実施形態の溝部４１３Ａでも同様の補強部材５００を採用できるものとする。
補強部材５００は、非金属材料からなり、非導電性の接着剤から構成され、蓋部材３１３に形成される溝部３１３Ａの内側端面に沿って所定の厚み寸法を有するように塗布され、固定されている。
【００４５】
なお、補強部材５００の固定位置は、上述した位置に限らない。例えば、アンテナ３５が蓋部材３１３の溝部３１３Ａ内に設けられ、蓋部材３１３が胴部材１１１に接続した際に、アンテナ３５と胴部材１１１内に配置されるムーブメント１４とが電気的に接続する。そして、アンテナ３５にて標準電波が受信可能な状態となる。このような場合、蓋部材３１３の溝部３１３Ａ内に、アンテナ３５を遊嵌配置した状態、すなわち、アンテナ３５と蓋部材３１３とが接触しない状態で、図１３に示すように、補強部材５００である接着剤を溝部３１３Ａ内に流し込み、アンテナ３５を蓋部材３１３に固定する。
【００４６】
また、補強部材５００としては、上述した接着剤に限らず、プラスチックやセラミックス等の固体状の部材を採用してもよい。このような材質を有する補強部材を採用する場合には、溝部３１３Ａの内側部分の形状と同様の形状を有するように形成しておき、溝部３１３Ａの内側部分に嵌め込めばよい。
【００４７】
〔第５実施形態の効果〕
上述した第５実施形態によれば、前記（１）〜（６）と同様の効果の他、以下の効果を奏する。
（９）溝部３１３Ａの内側部分に非金属材料からなる補強部材５００が固定されているので、アンテナ３５における標準電波の受信感度を良好に維持しつつ、蓋部材３１３の機械的強度を増加させることができる。したがって、筐体１１の落下衝撃や圧力による蓋部材３１３の変形を防ぎ、破壊や防水不良を回避できる。また、蓋部材３１３の機械的強度を増加させることができるので、補強部材５００を設けない構成に比較して、溝部３１３Ａを他の部分よりもさらに薄く形成でき、アンテナ３５における標準電波の受信感度をさらに良好にできる。
【００４８】
（１０）補強部材５００を、溝部３１３Ａの内側部分に固定するので、アンテナ３５と蓋部材３１３とを確実に絶縁することができる。
（１１）補強部材５００として、液状の接着剤を用いているので、溝部３１３Ａに対する補強部材５００の固定を容易に実施できる。
【００４９】
〔実施形態の変形〕
以上、本発明について好適な実施形態を挙げて説明したが、本発明は、これらの実施形態に限定されるものではなく、本発明の要旨を逸脱しない範囲において種々の改良並びに設計の変更が可能である。
例えば、前記第１実施形態、前記第２実施形態、および前記第４実施形態では、アンテナ１５，４５のコア１５１，４５１の両端部が下方に曲折する形状を説明したが、これに限らず、前記第３実施形態と同様に、両端部が曲折せずに、全体として直線的な形状を有する構成としてもよい。また、前記第３実施形態において、前記第１実施形態、前記第２実施形態、および前記第４実施形態と同様に、アンテナ３５のコア３５１の両端部を下方に曲折する形状としてもよい。
【００５０】
前記各実施形態では、アンテナ１５，３５，４５は、その全体が装着用バンド１６と平面的に干渉しない位置に配置されていたが、これに限らない。少なくとも、アンテナ１５，３５，４５のコア１５１，３５１，４５１の両端部が装着用バンド１６と平面的に干渉しない位置に配置されればよい。
また、前記各実施形態では、アンテナ１５，３５，４５は、文字板１１２の９時位置１１２Ａに対応する位置に設置されていたが、これに限らない。例えば、３時位置に対応する位置に設置してもよく、その他の位置に設置してもよい。しかしながら、アンテナ１５，３５，４５を文字板１１２の９時位置１１２Ａに対応する位置に配置した方が、例えば３時位置に設けられる巻真との干渉を避けることができ、該巻真の形状を変更する必要がないという点で有利である。
さらに、前記第１実施形態ないし前記第３実施形態において、アンテナ１５，３５は、文字板１１２の１２時位置１１２Ｂおよび６時位置１１２Ｃを結ぶ方向に延びるように設置されていたが、これに限らず、この方向に対して傾斜して設置してもよい。
【００５１】
前記第４実施形態では、蓋部材４１３に形成された溝部４１３Ａは、蓋部材４１３の回転中心を中心とするリング状に形成されていたが、これに限らず、円弧状に形成してもよい。例えば、蓋部材４１３と胴部材４１１との接合構造をバヨネット式で構成した場合には、蓋部材４１３を胴部材４１１に対して１回転させることなく胴部材４１１に対して蓋部材４１３を接合できる。したがって、このような接合構造では、溝部４１３Ａは、蓋部材４１３の回転中心を中心とし、アンテナ４５の長さ寸法よりも長く設定された円弧状に形成できる。
前記各実施形態において、蓋部材１１３，２１３，３１３の薄肉部１１３Ａ，３１３Ｂ，４１３Ｂは、０．２５ｍｍ程度の厚み寸法を有すると説明したが、薄肉部１１３Ａ，３１３Ｂ，４１３Ｂを通して内部がすけない程度であり、強度が確保できる程度であれば、この厚み寸法に限らない。
【００５２】
前記各実施形態において、胴部材１１１（４１１）にも、図１４に示すように、アンテナ１５（３５，４５）の両端部に対向する位置に、上述した薄肉部１１３Ａおよび溝部２１３Ａ，３１３Ａ，４１３Ａと略同様の機能を有する凹部１１１Ａ２を形成し、他の部分に比べて薄肉となる薄肉部１１１Ａ３を形成してもよい。さらに、この際、蓋部材１１３（２１３，３１３）において、フック１１３Ｂは、アンテナ１５（３５）の端部に対向する部分が省略されている。すなわち、フック１１３Ｂは、平面的に略リング状に形成されているが、アンテナ１５（３５）の端部に対向する部分のみが省略されている。第４実施形態であれば、蓋部材４１３において、雄ねじ４１３Ｃにおけるアンテナ４５の両端部に対向する部分を省略する。このような構成では、薄肉部１１１Ａ３を介してアンテナ１５，３５，４５にて標準電波を受信でき、アンテナ１５，３５，４５による受信感度をさらに良好にできる。
【００５３】
前記各実施形態において、溝部２１３Ａ，３１３Ａ，４１３Ａ、および薄肉部１１３Ａの形状は、これに限らず、例えば、図１５に示すような形状を採用してもよい。具体的に、図１５（Ａ），（Ｂ）は、溝部２１３Ａ，３１３Ａ，４１３Ａの変形例を示し、図１５（Ｃ）は、薄肉部１１３Ａの変形例を示す。
図１５に示すように、いずれの変形例も穴の径は深くなるにしたがって縮径するように形成されている。このような形状であれば、溝部２１３Ａ，３１３Ａ，４１３Ａおよび薄肉部１１３Ａを加工形成する際に、応力の集中部分を分散させることができ、蓋部材１１３，２１３，３１３，４１３の強度を確保しつつ、薄肉部１１３Ａ，２１３Ｂ，３１３Ｂ，４１３Ｂをより薄く加工形成できる。
【００５４】
前記各実施形態において、電波修正時計１，２，３，４は、携帯型の腕時計タイプで説明したが、これに限らず、据え置き型の置き時計タイプの電波修正時計として構成してもよい。
また、前記各実施形態では、アナログ式の電波修正時計について説明したが、これに限らない。すなわち、本発明においてはデジタル式の電波修正時計に対しても、同様に適用することができる。
【００５５】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【００５６】
【発明の効果】
以上に述べたように、本発明の電波修正時計によれば、筐体を金属材料から構成することで高い外観品質を確保でき、さらにこの筐体内にアンテナを収納配置しても標準電波の受信感度を良好に確保できるという効果がある。
【図面の簡単な説明】
【図１】第１実施形態に係る電波修正時計の概略構成を示す平面図。
【図２】図１におけるＩＩ−ＩＩ線の断面図。
【図３】前記実施形態におけるアンテナの形状、および、アンテナと蓋部材との配置状態を示す図。
【図４】前記実施形態におけるアンテナと装着用ベルトとの配置状態を示す図。
【図５】第２実施形態に係る電波修正時計の構造を説明するための図。
【図６】前記実施形態における電波修正時計の構造を説明するための図。
【図７】前記実施形態における電波修正時計の構造を説明するための図。
【図８】第３実施形態に係る電波修正時計の構造を説明するための図。
【図９】前記実施形態における電波修正時計の構造を説明するための図。
【図１０】第４実施形態に係る電波修正時計の構造を説明するための図。
【図１１】前記実施形態における電波修正時計の構造を説明するための図。
【図１２】第５実施形態における補強部材の固定位置の一例を示す図。
【図１３】補強部材の他の固定位置を示す図。
【図１４】前記各実施形態の変形例を示す図。
【図１５】前記各実施形態の変形例を示す図。
【符号の説明】
１，２，３，４・・・電波修正時計、１１・・・筐体、１５，３５，４５・・・アンテナ、１６・・・装着用ベルト、１１１，３１１，４１１・・・胴部材、１１１Ａ２・・・凹部、１１２・・・文字板、１１２Ａ・・・９時位置、１１２Ｂ・・・１２時位置、１１２Ｃ・・・６時位置、１１３，２１３，３１３，４１３・・・蓋部材、１１３Ａ，２１３Ｂ，３１３Ｂ，４１３Ｂ・・・薄肉部、１１４・・・収納空間、１５１，３５１，４５１・・・コア、１５２，４５２・・・コイル、２１３Ａ，３１３Ａ，４１３Ａ・・・溝部、４１１Ａ１・・・雌ねじ溝（螺合構造）、４１３Ｃ・・・雄ねじ（螺合構造）、５００・・・補強部材。
【図１】
2004347552.tif 000003
【図２】
2004347552.tif 000004
【図３】
2004347552.tif 000005
【図４】
2004347552.tif 000006
【図５】
2004347552.tif 000007
【図６】
2004347552.tif 000008
【図７】
2004347552.tif 000009
【図８】
2004347552.tif 000010
【図９】
2004347552.tif 000011
【図１０】
2004347552.tif 000012
【図１１】
2004347552.tif 000013
【図１２】
2004347552.tif 000014
【図１３】
2004347552.tif 000015
【図１４】
2004347552.tif 000016
【図１５】
2004347552.tif 000017